(57)【要約】      （修正有）【課題】開封後においてもキャップならびにボトルの口部に対する除菌・抗菌効果を発揮できる食品用ボトル及びそのキャップを提供する。【解決手段】口部２１の外周に雄ねじ２２を備えた食品用ボトル２に装着される食品用ボトルのキャップ１であり、このキャップ１は、キャップ本体１１の内面の少なくとも一部に除菌・抗菌性金属皮膜１５が形成されたものであり、この除菌・抗菌性金属皮膜は、銀、銅、亜鉛から選択された少なくとも１種の除菌・抗菌作用を有する金属を含有したものである。【選択図】図２
0003134018.tif 000002
【実用新案登録請求の範囲】
【請求項１】
口部の外周に雄ねじを備えた食品用ボトルの口部を開閉可能に封じるための食品用ボトルのキャップにおいて、
このキャップは、筒状部とこの筒状部の上端に設けられた天部とを有するキャップ本体を備え、
上記の雄ねじに螺合する雌ねじが筒状部の内周面に形成されたものであり、
このキャップ本体の内面の少なくとも一部に除菌・抗菌性金属皮膜が形成されたものであり、
この除菌・抗菌性金属皮膜は、銀、銅、亜鉛から選択された少なくとも１種の除菌・抗菌作用を有する金属を含有したものであることを特徴とする食品用ボトルのキャップ。
【請求項２】
上記のキャップ本体は、アルミニウム合金板が加工されて形成されたものであり、
電解加工により、当該合金板の表面に、上記の除菌・抗菌性金属皮膜が形成されたものであることを特徴とする請求項１に記載の食品用ボトルのキャップ。
【請求項３】
上記のキャップ本体と、このキャップ本体の天部内面側に配位された合成ゴム又は合成樹脂製のパッキンとを備え、
このパッキンは中央部に貫通穴を備え、
筒状部の内面と、貫通穴から露出した天部内面とに、上記の除菌・抗菌性金属皮膜が形成されたものであることを特徴とする請求項２に記載の食品用ボトルのキャップ。
【請求項４】
請求項３記載の食品用ボトルのキャップと、このキャップと螺合する雄ねじを口部の外周に備えた合成樹脂製ボトル本体とから構成されたことを特徴とする食品用ボトル。
【考案の詳細な説明】
【技術分野】
【０００１】
本願考案は、食品用ボトル及びそのキャップに関するものである。
【背景技術】
【０００２】
ジュースや水などの飲料水、醤油や油などの液状調味料、その他、人が摂取する液体を収納する食品用ボトルは、体内に摂取する種々の液状物を収納し、また、場合によっては、ボトルの口部を口の中に入れて使用される。そのため、ボトルの生産過程や、飲料水工場でのボトリング工程にあっては、十分な殺菌状態が保たれている。ところが、今日のペットボトルにあっては、１リットルや２リットルなどの一度に飲みきれない量の飲料水が収納されたものであり、使用し残した状態で、再度キャップを閉めて持ち運びや保管がされている。また、醤油などの液状の調味料の場合には、数カ月の長期に渡って、開封後も常温で保管されている。
【０００３】
しかしながら、このように開封後に空気や人の口内に触れたボトルを、再度キャップで封じて保管などした場合、ボトルやキャップに雑菌が繁殖することがあって、不衛生である。
【考案の開示】
【考案が解決しようとする課題】
【０００４】
本願考案は上記の事情に鑑み、開封後においてもキャップならびにボトルの口部に対する除菌・抗菌効果を発揮できる食品用ボトル及びそのキャップの提供を課題とする。
【課題を解決するための手段】
【０００５】
本願の請求項１に係る考案は、口部の外周に雄ねじを備えた食品用ボトルの口部を開閉可能に封じるための食品用ボトルのキャップにおいて、このキャップは、筒状部とこの筒状部の上端に設けられた天部とが一体に形成された金属製のキャップ本体を備え、上記の雄ねじに螺合する雌ねじが筒状部の内周面に形成されたものであり、このキャップ本体の内面の少なくとも一部に除菌・抗菌性金属皮膜が形成されたものであり、この除菌・抗菌性金属皮膜は、銀、銅、亜鉛から選択された少なくとも１種の除菌・抗菌作用を有する金属を含有したものであることを特徴とする食品用ボトルのキャップを提供することにより、上記の課題を解決する。
請求項２に係る考案にあっては、上記のキャップ本体が、アルミニウム合金板が加工されて形成されたものであり、電解加工により、当該合金板の表面に、上記の除菌・抗菌性金属皮膜が形成されたものであることを特徴とする請求項１に記載の食品用ボトルのキャップを提供する。
本願の請求項３に係る考案は、上記のキャップ本体と、このキャップ本体の天部内面側に配位された合成ゴム又は合成樹脂製のパッキンとを備え、このパッキンは中央部に貫通穴を備え、筒状部の内面と、貫通穴から露出した天部内面とに、上記の除菌・抗菌性金属皮膜が形成されたものであることを特徴とする請求項２に記載の食品用ボトルのキャップを提供する。
【０００６】
また、本願の請求項４に係る考案にあっては、請求項３記載の食品用ボトルのキャップと、このキャップと螺合する雄ねじを口部の外周に備えた合成樹脂製ボトル本体とから構成されたことを特徴とする食品用ボトルを提供する。
【考案の効果】
【０００７】
本願考案は、少なくとも内面の一部に、銀、銅、亜鉛から選択された少なくとも１種の、除菌・抗菌作用を有する金属を含有する除菌・抗菌性金属皮膜が形成され、この除菌・抗菌性金属皮膜から放散された当該金属のイオンにより、キャップ及びこれに接触するボトルが除菌され、常に清潔な状態で液状の食品を収容保管することができる。
【０００８】
また、本願考案のキャップにあっては、最終消費者が合成樹脂製のキャップを備えた食用ボトルを開封した後、再度蓋を閉める際に、用いるものであってもよく、あるいは、ボトリング工場などで、本願考案のキャップを装着して、出荷するようにしてもよい。
【考案を実施するための最良の形態】
【０００９】
以下、図面に基づき本願考案の実施の形態を示す。図１は本例のキャップとこれを装着したボトルの正面図であり、図２は図１の要部断面図であり、図３は同キャップの底面図である。
【００１０】
本例のキャップ１は、図１に示すように、ペットボトル２などの口部２１の外周に雄ねじ２２を備えた食品用ボトル２に装着して用いられる。ここで食品用ボトル２とは、飲料水や液体調味料などを入れるペットボトルを代表例として挙げることができるほか、粘性の高いチョコレート、歯磨き、練りわさび食品であってもよく、人が口にするものであって、口部の外周に雄ねじ２２を備えたものであればよい。
【００１１】
このキャップ１は、キャップ本体１１と、パッキン１６とを備える。
キャップ本体１１は、筒状部１２とこの筒状部１２の上端に設けられた天部１３とが一体に形成された金属製のものであり、詳しくはアルミニウム合金板を加工して形成されている。筒状部１２の内周面には、上記の雄ねじ２２に螺合する雌ねじ１３が形成されている。
このキャップ本体１１は、金属部１４と、金属部１４の表面の全体に渡って形成された除菌・抗菌性金属皮膜１５とを備える。なお、この除菌・抗菌性金属皮膜１５は、筒状の金属部１４の内面側に設けられれば足りるものであり、表面に露出している必要はない。例えば、除菌抗菌効果を大きく削減しないかぎり、除菌・抗菌性金属皮膜１５の表面に薄い塗膜を形成するなどしてもよい。
【００１２】
このキャップ本体１１の天部１３の内面側には、合成ゴム又は合成樹脂製のパッキン１６が配位されている。このパッキン１６は、環状をなし、中央部に貫通穴１７を備える。そして、貫通穴１７から露出した天部１３の内面には、上記の除菌・抗菌性金属皮膜１５が形成されており、貫通穴１７を通って露出している。
除菌・抗菌性金属皮膜１５についてさらに詳しく説明すると、この除菌・抗菌性金属皮膜１５は、銀、銅、亜鉛から選択された少なくとも１種の、除菌・抗菌作用を有する金属を含有する皮膜であり、本例では、このうち最も抗菌・除菌作用に優れる銀が用いられている。
【００１３】
この皮膜は、次の方法で製造し得る。
まず、アルマイト加工済の平板状のアルミニウム合金板を、硝酸銀などの銀化合物の水溶液中に配位して電解加工する。この電解加工により、アルマイト加工によって表面に形成されたアルマイト皮膜中の微細孔に銀が埋め込まれ、除菌・抗菌性金属皮膜１５となる。
そして、このように除菌・抗菌性金属皮膜１５が形成されたアルミニウム合金板に、プレス加工や絞り加工などの成形を施し、図に示すような有底筒状体が形成される。
このように、除菌・抗菌性金属皮膜１５が形成されたアルミニウム合金板を成形するものであるため、成形後の加工が特に必要ではなく、比較的容易にキャップ１を製造することが可能である。
なお、工程の都合などにより、成形後に除菌・抗菌性金属皮膜１５を形成する方法をとっても良い。
また、上記の成形後は無塗装のままでも良いが、外側表面に各色の塗装を行うことにより、家庭で使用する場合、家族の誰がどのキャップ１を使用しているか一目瞭然に識別可能なものとしても良い。
【００１４】
本例では、図１に示すような、有底筒状体状に加工される前の平板状素材の状態で、表面全体に電解処理によって除菌・抗菌性金属皮膜１５が形成されたものであるため、図２に示すように、キャップ１の内外面の全体にこの除菌・抗菌性金属皮膜１５が形成される。
なお、表面の一部にのみこの除菌・抗菌性金属皮膜１５を形成したものであっても良い。また、本例では除菌・抗菌性金属皮膜１５が形成された平板状素材を有底筒状体に加工したものであるため、除菌・抗菌性金属皮膜１５がアルミ合金の素材に対して一体形成されているが、異種の材料で形成されたキャップの内面に沿うように、この除菌・抗菌性金属皮膜１５が形成されたアルミニウム合金板を貼り付けたものであっても良い。
【００１５】
また、本例のキャップ１は、アルミ合金の素材を加工したものであるが、材質はこれに限られるものではなく、ステンレス鋼や銅合金など、他の金属材料を用いたものであっても良いし、樹脂や紙や陶器など、非金属材料を用いたものであっても良い。
また、除菌・抗菌性金属皮膜１５の形成についても、本例のような電解処理によるものに限られず、銀などの抗菌作用を有する金属を含有する塗料や樹脂を表面に塗布することによって形成したものであっても良いし、上記のように樹脂や紙や陶器などの非金属材料を用いた場合は、成形前の可塑状態にある素材に、銀などの抗菌作用を有する金属を練り込んだものとしても良い。なお、この場合は、キャップ１の全体が除菌・抗菌性金属皮膜１５となる。
このように、キャップ１の少なくとも内面の一部に、銀、銅、亜鉛から選択された少なくとも１種の、除菌・抗菌作用を有する金属を含有する除菌・抗菌性金属皮膜１５が形成されるものであれば、種々の手段で実施することができる。
【００１６】
上記のようにして形成されたキャップ１を、ボトル２の口部２１に装着することによって、除菌・抗菌性金属皮膜１５の表面から、銀イオンなどの金属イオンが放散され、除菌・抗菌作用を発揮する。この銀イオンの除菌・抗菌作用により、キャップ１に接するボトル２の口部２１やボトル内部における、虫歯菌、食中毒菌、その他の雑菌、インフルエンザウイルスなどのウイルスを死滅あるいは減少させることができる。また、上記の除菌、抗菌作用により、臭いの元となる雑菌の繁殖を抑えることができるため、防臭、消臭作用も発揮することができる。このように、常に清潔、ボトルを使用することができる。
なお、除菌・抗菌性金属皮膜１５から放散される銀イオンなどの除菌・抗菌作用を有する金属イオンの放散量は微量であるため、表面に付着した汚れを時々除去する程度の手入れで、長期的に使用が可能である。
【００１７】
なお、上記のキャップ１は、ボトルの製造出荷時に装着されている合成樹脂製のキャップを外したあとに、これと交換して用いることができるほか、ボトルの出荷時に既にこのキャップ１を装着して用いるようにしてもよい。なおその際には、筒状部１２の下端に弱め線を介してリング部を設け、開封の際には、リング部を残して、開閉できるようにしておくことが望ましい。
【図面の簡単な説明】
【００１８】
【図１】本願考案の実施の形態に係るキャップとこれを装着したボトルの正面図である。
【図２】図１の要部断面図である。
【図３】同キャップの底面図である。
【符号の説明】
【００１９】
１    キャップ
１１  キャップ本体
１２  筒状部
１３  天部
１４  金属部
１５  除菌・抗菌性金属皮膜
１６  パッキン
１７  貫通穴
２    食品用ボトル
２１  口部
２２  雄ねじ
【図１】
0003134018.tif 000003
【図２】
0003134018.tif 000004
【図３】
0003134018.tif 000005